(57)【要約】      （修正有）【課題】バックライトユニット駆動回路における電子部品の発熱の低減と構造の簡略化を図った表示装置を提供する。【解決手段】ＬＥＤを光源とするＬＥＤバックライトユニットにおいて、複数のＬＥＤを複数のＬＥＤグループで構成し、ＬＥＤグループ毎の電圧を検出して切り替える切り替え部１７と、ＬＥＤグループの組み合わせを電圧によって選択して切り替える選択制御部１５とを備える。【選択図】図２
0003164657.tif 000002
【実用新案登録請求の範囲】
【請求項１】
ＬＥＤを光源とし、複数のＬＥＤをひとつのグループとし、複数のＬＥＤグループで構成されたバックライトユニットにおいて、前記ＬＥＤグループの各電圧を検出して切り替える切り替え部と、前記電圧によって前記ＬＥＤグループの組み合わせの選択を制御する選択制御部とを備え、前記切り替え部は、前記選択制御部によって選択決定された前記ＬＥＤグループ毎の組み合わせに切り替えて前記バックライトユニットを駆動することを特徴とする表示装置。
【請求項２】
前記切り替え部は、前記ＬＥＤグループ同士を接続するように配置し、前記切り替え部によって検出された前記ＬＥＤグループ毎の電圧を、前記選択制御部がグループ毎に略同等の電圧となるよう組み合わせを選択し、前記切り替え部によって前記組み合わせに切り替えて駆動するバックライトユニットを備えたことを特徴とする請求項１に記載の表示装置。
【考案の詳細な説明】
【技術分野】
【０００１】
本考案は、発光ダイオード(Ｌｉｇｈｔ  Ｅｍｉｔｔｉｎｇ  Ｄｉｏｄｅ：以下ＬＥＤ）を光源として使用したバックライトユニット及び該ユニットを備える表示装置に関する。
【背景技術】
【０００２】
近年、液晶パネルのバックライト光源は冷陰極蛍光管を使ったＣＣＦＬ（Ｃｏｌｄ  Ｃａｔｈｏｄｅ  Ｆｌｕｏｒｅｓｃｅｎｔ  Ｌａｍｐ）タイプからＬＥＤを使用したＬＥＤタイプが主流になってきている。ＬＥＤタイプはＣＣＦＬタイプに比べて消費電力が少なく、長寿命であることが知られている。
【０００３】
液晶パネルの表示画面サイズにより、ＬＥＤバックライトユニットには数十個から数百個のＬＥＤを使用するが、ＬＥＤにはばらつきがある為、駆動する回路のトランジスタや抵抗等によって構成された電圧制御部によりＬＥＤ個々の降下電圧のばらつきを調整している。しかし、ばらつきによって生じた降下電圧の差が大きくなると、回路を構成している電流調整の電子部品からの発熱が大きくなるという問題がある。さらにその発熱によって装置全体の温度も上昇してしまう。ここでＬＥＤのばらつきについて説明する。ＬＥＤのアノードとカソード間に流れる電流によって生じる降下電圧はＬＥＤ製造時のＰＮ接合間のエネルギーギャップの大きさで決まるが、このエネルギーギャップはＰ型半導体並びにＮ型半導体の製造時に、添加物のわずかな濃度の差で変化してしまう。この変化がＬＥＤに流す電流によって生じる降下電圧のばらつきとして存在する。
【０００４】
特許文献１の表示装置では、通常時に点灯する数より少ない数の光源を選択する選択手段と、少ない数の光源のみを点灯させるバックライト駆動手段によって、消費電力を抑制可能としたことを特徴としている。
【０００５】
特許文献２の液晶モジュールでは、複数個のＬＥＤを含む複数個のバックライトユニットと、液晶面の明るさを計測する測光部を備え、前記側光部によって輝度低下を検出した場合にメインのバックライトユニットから予備のバックライトユニットに選択する選択部を構成することで、バックライトの信頼性と高寿命化を可能としたことを特徴としている。
【０００６】
また、特許文献３の表示装置では、複数の発光ダイオードの各々に並列に接続されたスイッチング素子を備え、選択的に接続可能とすることで発光ダイオードに流れる電流を個別に制御可能としたことを特徴としている。
【０００７】
また、特許文献４の半導体発光ドライバでは、複数の発光デバイスで構成される半導体発光ドライバにおいて、各発光ドライバに供給される電流量を個別に調整する為の複数のスイッチを有する電流調整ユニットを備えていることを特徴としている。
【０００８】
【特許文献１】特開２００７−１４８０５９号公報
【特許文献２】特開２００７−１５５８２９号公報
【特許文献３】特開２００５−３１０９９７号公報
【特許文献４】特開２００７−１９９６４８号公報
【考案の概要】
【考案が解決しようとする課題】
【０００９】
特許文献１の表示装置は、通常の数の光源と通常より数の少ない光源のいずれかの光源を点灯させる選択を可能とし、任意の位置を指定するポインティングデバイスによって、指定されたディスプレイ内の領域に対応付けられている光源を、少ない数の光源にて点灯させている。しかし、通常より数の少ない光源を別な装置内の領域に配置させる検討等、パネル内の配置の複雑化が懸念され設計的負担や、通常より数の少ない光源を備えるためのコストがかかる。また、電子部品の発熱を低減する為、点灯させる光源の組み合わせを選択する本考案の構成とは異なる。
【００１０】
また、特許文献２の液晶モジュールでも、通常使用するメインバックライトと輝度低下時に使用する予備バックライトを測光部の計測値により選択して切り替えるが、予備バックライトを別に備えるためメインバックライトと予備バックライトを配置させる領域の検討等、パネル内の配置の複雑化が懸念され設計的な負担や、予備バックライト分のコストがかかる。また、電子部品の発熱を低減する為、点灯させる光源の組み合わせを選択する本考案の構成とは異なる。
【００１１】
特許文献３の表示装置でも、複数の発光ダイオードごとに並列にスイッチング素子を設けており、回路の複雑化と各スイッチ分のコストがかかる。また、電子部品の発熱を低減する為、点灯させる光源の組み合わせを選択する本考案の構成とは異なる。
【００１２】
特許文献４の半導体発光デバイスでは、発光部への電流量を調整するトランジスタで構成された複数のスイッチを有する電流調整ユニットと、各電流量に対応するフィードバック信号によってスイッチの制御を行うが、発光デバイスの降下電圧のばらつきによっては電流調整ユニットの発熱が増大する。
【００１３】
本考案の目的は、ＬＥＤの降下電圧のばらつきによって生じる兆候制御部の発熱を低減し、パネル内のバックライトユニット配置の簡略化と設計的負担を軽減する構成とする。
さらには、パネル構成の簡略化と設計的負担の軽減を図る表示装置を提供することにある。
【課題を解決するための手段】
【００１４】
請求項１に係る表示装置は、ＬＥＤを光源とし、複数のＬＥＤをひとつのグループとし、複数のＬＥＤグループで構成されたバックライトユニットにおいて、前記ＬＥＤグループの各電圧を検出して切り替える切り替え部と、前記電圧によって前記ＬＥＤグループの組み合わせの選択を制御する選択制御部とを備え、前記切り替え部は、前記選択制御部によって選択決定された前記ＬＥＤグループ毎の組み合わせに切り替えて前記バックライトユニットを駆動させることを特徴とする。
【００１５】
請求項２に係る表示装置は、請求項１に記載の表示装置であって、前記切り替え部は前記ＬＥＤグループ同士を接続するように配置し、前記切り替え部によって検出された前記ＬＥＤグループ毎の電圧を、前記選択制御部がグループ毎に略同等の電圧となるよう組み合わせを選択し、前記切り替え部によって前記組み合わせに切り替えて駆動するバックライトユニットを備えたことを特徴とする。
【考案の効果】
【００１６】
請求項１の考案によれば、バックライトユニットを複数のＬＥＤグループで分割しＬＥＤグループ毎に切り替えて駆動することで、ＬＥＤの降下電圧のばらつきが存在しても、ＬＥＤグループの組み合わせによってバックライトユニットの降下電圧の調整が可能となり、予備のバックライトユニットを用いる構成とすることなく、パネル内のバックライトユニット配置の検討や、パネル構成の考慮など設計的負担も軽減される。
【００１７】
請求項２の考案によれば、ＬＥＤグループ毎に組み合わせて、各ＬＥＤグループの電圧を略同等とすることで、電子部品の発熱を低減させることが可能となり、バックライトユニットの電圧制御部を構成する回路において特にＬＥＤの降下電圧を調整する電圧調整トランジスタに生じるＬＥＤの降下電圧のばらつきによる発熱を低減させることができる。さらに、発熱の低減により電圧調整のトランジスタも定格の小さい製品が選択でき、回路の小型化、基板面積の小型化、各小型化に伴うコストダウンが行える。
【００１８】
このように、バックライトユニットの光源を複数のＬＥＤグループで構成し、各ＬＥＤグループの電圧を検出し、検出された電圧によってＬＥＤグループの組み合わせを選択し、選択した組み合わせに切り替えて駆動させることでＬＥＤ光源を駆動する回路、特にＬＥＤの降下電圧のばらつきを吸収させる回路を構成する電子部品から生じる発熱を低減することができる。
【００１９】
また、通常使用している数より少ないＬＥＤを光源として用いた構成や、予備の光源を用いる構成とすることもなく、パネル内のバックライトユニット配置やパネル構成の簡略化や、設計的負担も軽減され、設計の自由度も図れる。
【図面の簡単な説明】
【００２０】
【図１】本考案の実施例における従来技術の回路図例。
【図２】本考案の実施例における回路図例。
【図３】本考案の実施例におけるリレーを切り替えた場合の回路図例。
【図４】本考案の実施例におけるリレーを構成するトランジスタアレイ回路図例。
【図５】本考案の図２の実施例におけるリレーを構成するトランジスタアレイ回路図例。
【図６】本考案の図３の実施例におけるリレーを構成するトランジスタアレイ回路図例。
【考案を実施するための形態】
【００２１】
図１から図６を参照して本考案の実施形態を説明する。なお、本考案はその主旨に反しない範囲で、実施例において説明した構成以外に対しても適用可能である。
【００２２】
図１は、本考案の実施例における従来技術のＬＥＤ光源を駆動する回路図例である。同図で示すように、ＬＥＤ素子群１は、ＬＥＤ２を複数使用し構成されたバックライトユニット３、４、５、ｎと、ＬＥＤ素子群１の電圧を制御する回路として電圧制御部１４を備え、電圧制御部１４には各バックライトユニット３、４、５、ｎの電流を調整する為の電流調整抵抗１０、１１、１２、Ｒｎと、降下電圧を吸収するための電圧調整トランジスタ素子６、７、８、Ｔｎで構成されている。電圧調整トランジスタ素子６、７、８、ＴｎのベースはＬＥＤドライバ１６に接続され、ＬＥＤドライバ１６は電圧調整トランジスタ素子６、７、８、Ｔｎのコレクタである位置ア、イ、ウ、エにてバックライトユニット３、４、５、ｎの降下電圧を検出するが、電圧調整トランジスタで検出された電圧Ｖｃ１、Ｖｃ２、Ｖｃ３、Ｖｃｎと元の電圧Ｖとの差の電圧Ｖ１、Ｖ２、Ｖ３、Ｖｎがバックライトユニット３、４、５、ｎの降下電圧となる。ここでバックライトユニットに流す電流の基準値は、規格により予め設定されておりその基準値になるよう調整する為、ＬＥＤドライバ１６が電圧調整トランジスタ素子６、７、８、Ｔｎのベースに、元の電圧Ｖ−降下電圧の電圧Ｖ１、Ｖ２、Ｖ３、Ｖｎとなる、電圧Ｖｃ１、Ｖｃ２、Ｖｃ３、Ｖｃｎを加えることで調整している。
バックライトユニット点灯の為に流す電流の基準値はＬＥＤドライバ１６に予め設定されている為、電流調整抵抗１０、１１、１２、Ｒｎの抵抗値は位置ア、イ、ウ、エの降下電圧がばらついても基準の電流値になるよう定数が設定されている。
【００２３】
バックライトユニット３、４、５、ｎの一方はバックライトユニット駆動用電圧供給ラインに接続され、図示しない電源回路から電圧Ｖが供給されている。もう一方が電圧制御部１４の電圧調整トランジスタ素子６、７、８、Ｔｎの各エミッタに接続され、各電圧調整トランジスタ素子６、７、８、ＴｎのベースはＬＥＤドライバ１６に各々接続されている。さらに各電圧調整トランジスタ素子６、７、８、Ｔｎのコレクタは電流調整抵抗１０、１１、１２、ＲｎとＬＥＤドライバ１６に接続され位置ア、イ、ウ、エとし、各電流調整抵抗１０、１１、１２、Ｒｎのもう一方はＧＮＤに接地されている。この位置ア、イ、ウ、エの電圧がＬＥＤドライバ１６に入力され、各電流調整抵抗１０、１１、１２、Ｒｎに流れる電流は常に一定になるように設定されている為、ＬＥＤドライバ１６は電圧Ｖ−降下電圧の電圧Ｖｃ１、Ｖｃ２、Ｖｃ３、Ｖｃｎを各電圧調整トランジスタ素子６、７、８、Ｔｎのベースに供給することで降下電圧を調整している。電流が多い場合はバックライトユニットの降下電圧も多く、電流が少ない場合はバックライトユニットの降下電圧も少ないことになる為、電圧降下が多いと電圧調整トランジスタ素子６、７、８、Ｔｎで調整する電圧は少なくてすむが、降下電圧が少ないと電圧調整トランジスタ素子６、７、８、Ｔｎで調整する電圧は多くなり、その分、熱となって電圧調整トランジスタ素子６、７、８、Ｔｎが発熱する。
【００２４】
例としてバックライトユニット３にて動作説明すると、バックライトユニット３に供給される電圧Ｖはバックライトユニット３にかかる電圧Ｖ１とトランジスタ素子６にかかる電圧Ｖｃ１を加算した電圧で示される。例えば電圧Ｖに５０Ｖが供給され、ＬＥＤ２に降下電圧のばらつきが無い場合、バックライトユニット３の駆動でＶ１が４８Ｖであれば、電圧Ｖの５０Ｖに対し電圧Ｖ１の４８Ｖの降下電圧は多く、電圧調整トランジスタ素子６ではＶｃ１＝Ｖ−Ｖ１すなわち５０Ｖ−４８Ｖ＝２Ｖ分だけ調整すればよいことになる。この２ＶがＬＥＤドライバ１６から供給され調整されることになる（実際に供給する電圧は電圧調整トランジスタ素子６のエミッタ電圧分が存在する為、約１．３Ｖとなる）。バックライトユニット３の降下電圧は、ＬＥＤドライバ１６が位置アの電圧にて検出する。
ＬＥＤ２には電流を流す際、降下電圧が通常の製品より少ないという降下電圧にばらつきのあるＬＥＤ２が存在する。バックライトユニット３に降下電圧にばらつきがあるＬＥＤ２が含まれ、バックライトユニット３の駆動で電圧Ｖ１が４０Ｖの場合、電圧Ｖの５０Ｖに対し電圧Ｖ１が４０Ｖである為、降下電圧が少なく、また降下電圧のばらつきが無い場合の電圧Ｖ１の４８Ｖに対しても降下電圧が少なく、電圧調整トランジスタ素子６のＶｃ１は５０Ｖ−４０Ｖ＝１０Ｖとなって１０Ｖ分の調整が必要となり、降下電圧のばらつきが無い場合の２Ｖに対し８Ｖも余分に調整しなければならない。この降下電圧のばらつきによって、ＬＥＤ２の降下電圧が少ないことによるバックライトユニット３の降下電圧を示す電圧Ｖ１が少なくなり、電圧Ｖとの整合性の為、電圧調整トランジスタ素子６で調整する電圧Ｖｃ１の電圧をより上昇させる必要があり、電圧調整トランジスタ素子６から熱が生じてしまう。この熱の温度上昇が高く、また装置全体の内部温度を上昇させる要因の一つとなっている。
【００２５】
図２は、本考案の実施例における回路図例である。同図で示すように、バックライトユニット３、４、５、ｎを複数のＬＥＤグループ３ａ、３ｂ、４ａ、４ｂ、５ａ、５ｂ、ｎａ、ｎｂと構成し、図１における元のバックライトユニットが分割されるように切り替え部１７を配置する。切り替え部１７では接続されたＬＥＤグループ３ａ、３ｂ、４ａ、４ｂ、５ａ、５ｂ、ｎａ、ｎｂの電圧Ｖ１ａ、Ｖ１ｂ、Ｖ２ａ、Ｖ２ｂ、Ｖ３ａ、Ｖ３ｂ、Ｖｎａ、Ｖｎｂを各端子や別の電圧検出の端子によって検出し、通信部１８を介して選択制御部１５に電圧情報を伝達する。選択制御部１５は伝達された電圧情報である電圧値の最大値、最小値等を判定し、その判定結果によってＬＥＤグループ３ａ、３ｂ、４ａ、４ｂ、５ａ、５ｂ、ｎａ、ｎｂの組み合わせを選択する。組み合わせはＬＥＤグループ３ａ、４ａ、５ａ、ｎａとＬＥＤグループ３ｂ、４ｂ、５ｂ、ｎｂのいずれかを組み合わせて位置ア、イ、ウ、エで検出されるバックライトユニットの電圧が略同等になることとする。その組み合わせの選択結果を、再度通信部１８を介して切り替え部１７に伝達し、ＬＥＤグループ３ａ、３ｂ、４ａ、４ｂ、５ａ、５ｂ、ｎａ、ｎｂの切り替え制御が行われる。図２の切り替え部１７ではまだ各ＬＥＤグループは、３ａと３ｂ、４ａと４ｂ、５ａと５ｂ、ｎａとｎｂが接続されたままである。
【００２６】
図３は、本考案の実施例における切り替え部１７内部のリレーを切り替えた場合の回路図例である。表示装置の電源をオンさせて視聴を開始したときは、図２の切り替え部１７の状態で各ＬＥＤグループが組み合わされて点灯する。他の電圧制御部１４の構成は図１と同様である。
【００２７】
具体的な切り替えの例として、切り替え部１７の各ＬＥＤグループがまだ３ａと３ｂ、４ａと４ｂ、５ａと５ｂ、ｎａとｎｂの接続状態において、ＬＥＤドライバ１６に入力される位置ア、イ、ウ、エの電圧によって、ＬＥＤグループの電圧Ｖ１＝Ｖ１ａ＋Ｖ１ｂ、Ｖ２＝Ｖ２ａ＋Ｖ２ｂ、Ｖ３＝Ｖ３ａ＋Ｖ３ｂ、Ｖｎ＝Ｖｎａ＋Ｖｎｂの降下電圧を判断する。この降下電圧によりＬＥＤドライバ１６は電圧調整トランジスタ素子６、７、８、Ｔｎのベースに各電圧Ｖｃ１、Ｖｃ２、Ｖｃ３、Ｖｃｎを供給し調整するが、この調整の電圧情報として選択制御部１５に電圧値を伝達する。選択制御部１５には予め調整電圧値の閾値を設定しておき、この閾値と伝達された電圧値とを比較後、閾値を超える場合は熱が発生すると判断し、切り替え部１７への制御を行う。閾値は電圧調整トランジスタ素子の温度上昇と正常動作範囲内の規格等より電圧値を設定すれば良い。
【００２８】
降下電圧のばらつきがないＬＥＤ２を含むＬＥＤグループの場合は、降下電圧の調整が少ない為、電圧制御部１４の各電圧調整トランジスタ素子６、７、８、Ｔｎのベースに供給する電圧が設定した閾値を超えることがなく、図２の切り替え部１７の状態である。しかし、降下電圧のばらつきのあるＬＥＤ２を含むＬＥＤグループの場合は、降下電圧の調整が多い為、電圧制御部１４の各電圧調整トランジスタ素子６、７、８、Ｔｎのベースに供給するいずれかの電圧が設定した閾値を超えてしまう。選択制御部１５はＬＥＤドライバ１６から各電圧調整トランジスタ素子６、７、８、Ｔｎに供給した調整電圧の情報により閾値超えを取得すると、電圧上昇による各電圧調整トランジスタ素子６、７、８、Ｔｎの温度上昇を低減の為、切り替え部１７の各端子電圧情報であるＶ１ａ、Ｖ１ｂ、Ｖ２ａ、Ｖ２ｂ、Ｖ３ａ、Ｖ３ｂ、Ｖｎａ、Ｖｎｂの電圧情報を、通信部１８を介して取得する。切り替え部１７はＬＥＤグループが接続されている各端子の電圧Ｖ１ａ、Ｖ１ｂ、Ｖ２ａ、Ｖ２ｂ、Ｖ３ａ、Ｖ３ｂ、Ｖｎａ、Ｖｎｂを検出し検出結果を、通信部１８を介して選択制御部１５に伝達し、選択制御部１５は取得した電圧の最大値と最小値等を判定する。図３において最大値と最小値の判定は、先ずＶ１ａ、Ｖ２ａ、Ｖ３ａ、Ｖｎａで判定され、次にＶ１ｂ、Ｖ２ｂ、Ｖ３ｂ、Ｖｎｂで判定されるが、特に判定の順番を特定しなくても良い。
【００２９】
切り替え部１７での各ＬＥＤグループの電圧検出方法としては、分割したＬＥＤグループの各出力部（ＬＥＤグループ３ａ、４ａ、５ａ、ｎａの切り替え部１７に接続された側と、ＬＥＤグループ３ｂ、４ｂ、５ｂ、ｎｂの電圧調整トランジスタ素子６、７、８、Ｔｎに接続された側)の電圧を切り替え制御部１７に入力することで判定させる。若しくはＬＥＤグループの各出力部（ＬＥＤグループ３ａ、４ａ、５ａ、ｎａの切り替え部１７に接続された側と、ＬＥＤグループ３ｂ、４ｂ、５ｂ、ｎｂの電圧調整トランジスタ素子６、７、８、Ｔｎに接続された側)を、別に設けた電圧検出部に接続し判定させても良い。
【００３０】
このように判定された最大値と最小値によって、選択制御部１５は各ＬＥＤグループ３ａ、３ｂ、４ａ、４ｂ、５ａ、５ｂ、ｎａ、ｎｂの選択を組み合わせ、組み合わせて構成されたＬＥＤグループからなるバックライトユニットにかかる電圧が位置ア、イ、ウ、エにて略同等になるよう設定する。すなわち降下電圧を調整する電圧が略同等となることで製造ばらつきのあるＬＥＤが含まれていても吸収する為の電圧が少なくなることにより発熱が低減される。
【００３１】
組み合わせの例としては、Ｖ１ａ、Ｖ２ａ、Ｖ３ａ、Ｖｎａの電圧の最大値のＬＥＤグループと、Ｖ１ｂ、Ｖ２ｂ、Ｖ３ｂ、Ｖｎｂの電圧の最小値のＬＥＤグループを組み合わせ、さらに、Ｖ１ａ、Ｖ２ａ、Ｖ３ａ、Ｖｎａの電圧の最小値のＬＥＤグループと、Ｖ１ｂ、Ｖ２ｂ、Ｖ３ｂ、Ｖｎｂの電圧の最大値のＬＥＤグループを組み合わせることにより、各ＬＥＤグループを組み合わせて構成するバックライトユニットの電圧が略同等になるように選択制御部１５で選択され、通信部１８を介して切り替え部１７が切り替える。最大値と最小値以外の電圧のＬＥＤグループに対しても検出された電圧が略同等になるよう組み合わせが選択される。
図３においては、Ｖ１ａとＶ２ｂ、Ｖ２ａとＶｎｂ、Ｖ３ａとＶ１ｂ、ＶｎａとＶ３ｂが組み合わされ切り替え部１７で選択されている例を示している。
【００３２】
また電圧検出において、前述では先ずＬＥＤグループ毎に電圧を検出し組み合わせを選択したが、他の方法として切り替え部１７ですべての組み合わせを順番に行い、その組み合わされた順番にバックライトユニットの電圧をＬＥＤグループ３ｂ、４ｂ、５ｂ、ｎｂの電圧調整トランジスタ素子６、７、８、Ｔｎに接続された側のみで検出し、検出した電圧の結果をすべて参照して、バックライトユニットの電圧が略同等となる組み合わせを選択しても良い。
【００３３】
このようにバックライトユニットを複数のＬＥＤグループに分割しＬＥＤグループを組み合わせることで、ＬＥＤグループ内に降下電圧のばらつきがあるＬＥＤ２が存在しても、降下電圧のばらつきのあるＬＥＤグループを降下電圧のばらつきのないＬＥＤグループと組み合わせることで、電圧制御部１４での発熱の低減を可能としている。さらに、発熱の低減により電圧調整のトランジスタも定格の小さい製品が選択でき、回路の小型化、基板面積の小型化、各小型化に伴うコストダウンが行える。
【００３４】
また、切り替え部１７を構成するだけであるため、バックライトユニットを予備のバックライトユニットを追加構成したり、通常のバックライトユニットよりＬＥＤ２の数が少ないバックライトユニットを構成する必要もない為、パネル内のバックライトユニットを配置する構成が簡略でき、パネル内の配置の検討や、配置構成の考慮など設計的負担も軽減される。
【００３５】
図４は本考案の実施例における切り替え部１７内部のリレーを構成するトランジスタアレイを示す回路図である。ＬＥＤグループ３ａとＬＥＤグループ３ｂ、４ｂ、５ｂ、ｎｂ間、ＬＥＤグループ４ａとＬＥＤグループ３ｂ、４ｂ、５ｂ、ｎｂ間、ＬＥＤグループ５ａとＬＥＤグループ３ｂ、４ｂ、５ｂ、ｎｂ間、ＬＥＤグループｎａとＬＥＤグループ３ｂ、４ｂ、５ｂ、ｎｂ間に介在する電流経路接続用トランジスタ１９によって構成されている。このトランジスタアレイは、選択制御部１５からの、例えばクロックにて構成される制御信号を受信してリレーを構成する各トランジスタのＯＮとＯＦＦを決定する信号に変換し、それを各電流経路接続用トランジスタ１９のベースに送信してＬＥＤグループ３ａ、４ａ、５ａ、ｎａとＬＥＤグループ３ｂ、４ｂ、５ｂ、ｎｂ間の接続を切り替える。図５では、図２の場合のＬＥＤグループ３ａ、４ａ、５ａ、ｎａとＬＥＤグループ３ｂ、４ｂ、５ｂ、ｎｂの接続方法を示している。図６では、図３の場合のＬＥＤグループ３ａ、４ａ、５ａ、ｎａとＬＥＤグループ３ｂ、４ｂ、５ｂ、ｎｂの接続方法を示している。構成についてはトランジスタアレイでなく切り替えＩＣを使用してもよい。
【００３６】
なお、本考案の表示装置において、回路を構成するトランジスタ素子は、ＰＮＰ型だけでなく、ＮＰＮ型で構成してもよく、電圧だけでなく電流や、実際の温度センサーによる熱検出等であってもよい。またＬＥＤドライバと選択制御部等をまとめた制御部としてもよく、切り替え制御部がＬＥＤグループの電圧を検出しているが、別な電圧検出部を設けて検出させても適用可能であり、本実施例に限定するものではなく、本発明の主旨に反しない範囲において適宜選定すればよい。
【符号の説明】
【００３７】
１  ＬＥＤ素子群
２  ＬＥＤ
３、４、５、ｎ  バックライトユニット
３ａ、３ｂ、４ａ、４ｂ、５ａ、５ｂ、ｎａ、ｎｂ  ＬＥＤグループ
６、７、８、Ｔｎ  電圧調整トランジスタ素子
１０、１１、１２、Ｒｎ  電流調整抵抗
１４  電圧制御部
１５  選択制御部
１６  ＬＥＤドライバ
１７  切り替え部
１８  通信部
１９  電流経路接続用トランジスタ
【図１】
0003164657.tif 000003
【図２】
0003164657.tif 000004
【図３】
0003164657.tif 000005
【図４】
0003164657.tif 000006
【図５】
0003164657.tif 000007
【図６】
0003164657.tif 000008